(57)【要約】【課題】ランプへの塵埃の堆積量を低減した照明器具を提供する。【解決手段】照明器具Ａは、天井６に取付けられる横長の器具本体１と、ランプソケット３を介して器具本体１に取付けられるランプ４と、器具本体１に取付けられランプ４から照射された光を反射する反射板２とを備えている。反射板２は、上面が開口する略矩形箱状の本体部２ａを有し、本体部２ａの下面において幅方向両側には下側に突出する正面視略三角形状の突壁部２ｄ、２ｄがそれぞれ一体に設けられている。また、本体部２ａの幅方向両側には、下側に行くほど互いの間隔が狭くなるように傾斜する傾斜面２ｂ、２ｂがそれぞれ設けられている。そして、照明器具Ａを天井６に取付けた状態において、ランプ４は上端部Ｐが反射板２の突壁部２ｄの下端部Ｑよりも上側となるように配置され、且つランプ４全体が両傾斜面２ｂ、２ｂを含む平面Ｌ１、Ｌ２の上側の領域Ｒ内に配置されている。【選択図】図１
2008243504.tif 000002
【特許請求の範囲】
【請求項１】
被取付部への取付状態における下面側にランプが配設される器具本体と、器具本体とランプの間に配設される反射板とを備え、当該反射板に、取付状態における下側に突出し上下方向において前記ランプの少なくとも一部と重なる突壁部を設けたことを特徴とする照明器具。
【請求項２】
前記反射板は、前記ランプを間にして両側に、取付状態における下側に行くほど互いの間隔が狭くなるように傾斜する傾斜面をそれぞれ有し、当該両傾斜面を含む２つの平面に対して前記器具本体側に前記ランプを配設したことを特徴とする請求項１記載の照明器具。
【発明の詳細な説明】
【技術分野】
【０００１】
本発明は、ランプに堆積する塵埃の量を低減させた照明器具に関するものである。
【背景技術】
【０００２】
従来より、図３に示すように造営材（例えば、天井６等）に取着され、反射板２の下側位置にソケット３を介してランプ４が配設された照明器具Ａがあった。この照明器具Ａで用いる反射板２は、本体部２ａの左右方向両端側に下側に行くほど互いの間隔が狭くなる傾斜面２ｂ、２ｂがそれぞれ形成され、本体部２ａにおいてランプ４と対向する位置には反射面２ｃが形成されている。また、ランプ４は、本体部２ａの傾斜面２ｂの延長線上にランプソケット３を介して配設されている。
【０００３】
この照明器具Ａでは、ランプ４が露出し且つランプ４のＰ点（ランプ４の上端部）と反射面２ｃとの間が解放領域７となっているので、室内を漂う塵や埃がランプ４の上側から両側面にかけて堆積し、さらにランプ４が反射板２の本体部２ａに設けた傾斜面２ｂ、２ｂを含む平面Ｌ１、Ｌ２に対してランプ４の一部が外側に位置しているので、両傾斜面２ｂ、２ｂに沿って落ちてくる塵埃がランプ４に堆積するという問題があった。
【０００４】
また、両端側をランプ側に折り曲げた反射板を用いた照明器具も提案されている（例えば特許文献１参照）。この照明器具は、天井に固定されたレースウェイに取着される横長の器具本体を有し、器具本体の長手方向両端側にはソケットがそれぞれ配置されており、両ソケットを介してランプが取着されている。また、器具本体とランプの間には板状の反射板が配置され、この反射板は幅方向両端側が斜め下方（ランプ側）に折り曲げられている。
【特許文献１】特開平４−１４４００４号公報（第２頁−第３頁、及び、第１図−第３図）
【発明の開示】
【発明が解決しようとする課題】
【０００５】
上述の特許文献１に示した照明器具は、ランプに対して反射板が幅方向に張り出しているので、上から落ちてくる塵埃に対してはランプへの堆積を防ぐことができるが、ランプと反射板の間が解放しているので、この間を通って進入した塵埃がランプに堆積し、塵埃の堆積量を低減させるまでには至らなかった。
【０００６】
本発明は上記問題点に鑑みて為されたものであり、その目的とするところは、ランプへの塵埃の堆積量を低減した照明器具を提供することにある。
【課題を解決するための手段】
【０００７】
請求項１の発明は、被取付部への取付状態における下面側にランプが配設される器具本体と、器具本体とランプの間に配設される反射板とを備え、当該反射板に、取付状態における下側に突出し上下方向においてランプの少なくとも一部と重なる突壁部を設けたことを特徴とする。
【０００８】
請求項２の発明は、反射板は、ランプを間にして両側に、取付状態における下側に行くほど互いの間隔が狭くなるように傾斜する傾斜面をそれぞれ有し、当該両傾斜面を含む２つの平面に対して器具本体側にランプを配設したことを特徴とする。
【発明の効果】
【０００９】
請求項１の発明によれば、取付状態における下側に突出し上下方向においてランプの少なくとも一部と重なる突壁部を反射板に設けることによって、反射板とランプの間の開放領域を通って入り込む塵埃の量を抑えることができるので、ランプに堆積する塵埃の量を低減することができ、したがってランプの照度低下を抑えることができるという効果がある。また、ランプに堆積する塵埃の量を低減することによって、ランプの汚れを抑えることができるという効果もある。さらに、突壁部の内側面を反射面とした場合には、ランプから照射された光の一部をこの反射面で反射させることで、下側方向への光量を増加させることができるので、作業面を重視した配光を得ることができるという効果がある。
【００１０】
請求項２の発明によれば、反射板の両傾斜面を含む２つの平面に対して器具本体側にランプを配設することによって、傾斜面に沿って落ちてくる塵埃がランプに堆積するのを抑えることができるので、ランプに堆積する塵埃の量をさらに低減することができるという効果がある。
【発明を実施するための最良の形態】
【００１１】
以下に本発明の実施形態を図１及び図２に基づいて説明する。本発明に係る照明器具Ａは、例えば天井６等の造営材（被取付部）に取付けられて室内等を照らすために用いられる。
【００１２】
この照明器具Ａは、天井６に取付けられる横長の器具本体１と、ランプソケット３を介して器具本体１に取付けられるランプ４と、器具本体１に取付けられランプ４から天井６側に照射された光を下側に反射する反射板２とを備えている。
【００１３】
まず、器具本体１について図２に基づいて説明する。器具本体１は、横長の略矩形板状の本体部１ａを有し、本体部１ａの長手方向両端には略コ字状のソケット台８、８がそれぞれ取付けられており、各ソケット台８の下面にはランプソケット３がそれぞれ対向して取付けられている。また、本体部１ａの長手方向中央寄りには、点灯回路（図示せず）等が収納された点灯回路収納部５が取付けられている。
【００１４】
ここで、各ランプソケット３は、側面視略Ｌ字状の本体部３ａをそれぞれ有し、各本体部３ａの下側に突出する部位において互いに対向する位置にはランプ４を取付けるための取付部３ｂがそれぞれ回動自在に設けられている。また、各取付部３ｂの中央位置には、後述する一対のランプピン４ｃ、４ｃを挿通するための挿通溝３ｃが上下方向にそれぞれ貫設されている。尚、各取付部３ｂの内部には、点灯回路に電気的に接続された一対の接触子（図示せず）がそれぞれ内装され、ランプ４をランプソケット３に取付けた状態において各接触子は対応するランプピン４ｃと電気的に接続される。
【００１５】
次に、ランプ４について説明する。ランプ４は、直管状の発光管４ａを有し、この発光管４ａの長手方向両端には口金４ｂ、４ｂがそれぞれ取付けられている。また、各口金４ｂには、発光管４ａの長手方向に延出する一対のランプピン４ｃ、４ｃがそれぞれ突設されている。
【００１６】
ここで、反射板２について図１及び図２に基づいて説明する。反射板２は、上面が開口する横長の略矩形箱状の本体部２ａを有し、本体部２ａの幅方向両側には下側に行くほど互いの間隔が狭くなるように傾斜する傾斜面２ｂ、２ｂがそれぞれ設けられている。また、本体部２ａの下面側において幅方向両端には、下側に向かって突出する正面視略三角形状の突壁部２ｄ、２ｄがそれぞれ一体に設けられている。これらの突壁部２ｄ、２ｄは、外側面及び内側面２ｅが下側に行くほど互いの間隔が狭くなるように傾斜しており、外側面は傾斜面２ｂと連続して形成されている。さらに、本体部２ａの下側面には、幅方向において両突壁部２ｄ、２ｄの間に反射面２ｃが長手方向に沿って形成され、この反射面２ｃと両突壁部２ｄ、２ｄの内側面２ｅ、２ｅとで反射面が構成されている。また、本体部２ａの長手方向両端には、反射板２を器具本体１に取付けた状態においてランプソケット３を下側に露出させるための露出孔２ｆ、２ｆがそれぞれ設けられている。
【００１７】
次に、照明器具Ａを天井６に取付ける手順について説明する。まず、器具本体１を天井６に取付ける。その後、反射板２を下側から器具本体１に近づけ、各ランプソケット３を対応する露出孔２ｆを通して下側に露出させた状態で反射板２を器具本体１に取付ける。最後に、ランプ４の両側のランプピン４ｃ、４ｃをそれぞれ対応する挿通溝３ｃに挿入した後ランプ４を軸周りに回転させると、各取付部３ｂも同時に回転し各ランプピン４ｃが対応する接触子と電気的に接続されて照明器具Ａの取付けが完了する。取付完了状態においてランプ４は、図１に示すように上端部Ｐが突壁部２ｄの下端部Ｑよりも上側となるように配置され、且つランプ４の全体が両傾斜面２ｂ、２ｂを含む平面Ｌ１、Ｌ２に対して上側の領域Ｒ内に配置されている。尚、ランプ４の上端部Ｐと反射面２ｃとの間は開放領域７となっている。
【００１８】
この照明器具Ａでは、反射板２の幅方向両側に下側に突出する突壁部２ｄを設け、且つランプ４の上端部Ｐが突壁部２ｄの下端部Ｑよりも上側となるようにランプ４を配置している。すなわち、取付状態では上下方向において突壁部２ｄがランプ４の少なくとも一部と重なっているので、反射板２とランプ４の間の開放領域７を通って入り込む塵埃の量を抑えることができるから、ランプ４に堆積する塵埃の量を低減することができ、したがってランプ４の照度低下を抑えることができる。また、ランプ４に堆積する塵埃の量を低減することによって、ランプ４の汚れを抑えることもできる。さらに、突壁部２ｄの内側面２ｅを反射面としており、ランプ４から照射された光の一部をこの内側面２ｅで反射させることで、下側方向（天井６と交差する方向）への光量を増加させることができるので、作業面を重視した配光を得ることができる。
【００１９】
また、本実施形態では、両傾斜面２ｂ、２ｂを含む平面Ｌ１、Ｌ２に対してランプ４の全体が内側、つまり器具本体１側（領域Ｒ内）に位置しており、取付状態においてランプ４が上記平面Ｌ１、Ｌ２の上側に位置しているので、各傾斜面２ｄに沿って落ちてくる塵埃がランプ４に堆積するのを抑えることができ、ランプ４に堆積する塵埃の量をさらに低減することができる。
【００２０】
尚、本実施形態では、突壁部の形状を三角形状とした場合を例に説明したが、突壁部の形状は本実施形態に限定されるものではなく、設置場所や使用状況等に応じて適宜設計してもよい。
【図面の簡単な説明】
【００２１】
【図１】本実施形態の照明器具の取付状態を示す正面図である。
【図２】同上の分解斜視図である。
【図３】従来例の照明器具の取付状態を示す正面図である。
【符号の説明】
【００２２】
１    器具本体
２    反射板
２ｄ  突壁部
４    ランプ
６    天井
Ａ    照明器具
【図１】
2008243504.tif 000003
【図２】
2008243504.tif 000004
【図３】
2008243504.tif 000005